(57)【要約】【課題】  複数のペイル容器に収納された溶接用ワイヤを連続して使用する場合において、溶接用ワイヤが絡んだり、内筒に巻きつくことがなく円滑に取り出して溶接部へ送給することを可能とする、溶接用ワイヤの装填物を提供する。【解決手段】  ペイル容器を構成する外筒と内筒との間に溶接用ワイヤをループ状に積層収納し、該ループの上端に押さえ板を載置した溶接用ワイヤの装填物において、内筒の高さを外筒高さより１５０ｍｍ以上低く、かつループ状に積層収納した溶接用ワイヤの積層高さ以上とし、溶接用ワイヤ終端部は外筒内面に沿ってペイル容器上部に取り付け、溶接用ワイヤの始端部を外筒の内側と押さえ板との間から上方に取り出して使用されることを特徴とする溶接用ワイヤの装填物にある。  また、内筒上端縁部は滑り部材で被覆されていることも特徴とする。【選択図】    図１
2006007308.tif 000002
【特許請求の範囲】
【請求項１】
ペイル容器を構成する外筒と内筒との間に溶接用ワイヤをループ状に積層収納し、該ループの上端に押さえ板を載置した溶接用ワイヤの装填物において、内筒の高さを外筒高さより１５０ｍｍ以上低く、かつループ状に積層収納した溶接用ワイヤの積層高さ以上とし、溶接用ワイヤ終端部は外筒内面に沿ってペイル容器上部に取り付け、溶接用ワイヤの始端部を外筒の内側と押さえ板との間から上方に取り出して使用されることを特徴とする溶接用ワイヤの装填物。
【請求項２】
内筒上端縁部は滑り部材で被覆されていることを特徴とする請求項１記載の溶接用ワイヤの装填物。
【発明の詳細な説明】
【技術分野】
【０００１】
本発明は、ペイル容器に捩り入りのソリッドワイヤやフラックス入りワイヤの溶接用ワイヤをループ状に積層収納した溶接用ワイヤの装填物に関する。
【背景技術】
【０００２】
２００〜３５０ｋｇの溶接用ワイヤの収納容器として一般にペイル容器が使用され、大量に使用される場合には、複数のペイル容器を並べて、先行するペイル容器の溶接用ワイヤ終端部と次に使用するペイル容器の溶接用ワイヤ始端部とをバット溶接により接続して連続使用されている。
【０００３】
前記連続使用の技術として、図４に示すように、積層された溶接用ワイヤの終端部６を外筒２の内面に沿って上方に導き、押さえ板４の下部を介して押さえ板４の内側から取り出し、先行するペイル容器１の溶接用ワイヤ終端部６と次に使用するペイル容器１の溶接用ワイヤ始端部７をバット溶接により接続して連続使用する。溶接用ワイヤは、押さえ板の内側から押さえ板の内周端に沿いながら取り出され、一般に連続内取り出しといわれる技術の開示がある（例えば、特許文献１参照）。
【０００４】
また、積層された溶接用ワイヤの終端部を外筒の内面に沿って上方に導き、先行するペイル容器の溶接用ワイヤ終端部と次に使用するペイル容器の溶接用ワイヤ始端部をバット溶接により接続して連続使用する。溶接用ワイヤは、外筒の内面と押さえ板との間から取り出され、一般に連続外取り出しといわれる技術の開示もある（例えば、特許文献２参照）。
【０００５】
しかし、特許文献１に記載の技術では、溶接用ワイヤの終端部が外筒の内面に沿って上方に導いたのち押さえ板の下部を介して押さえ板の内側から取り出してペイル容器の上方に固定されているので、溶接用ワイヤの使用が進むにつれて外筒の内面に沿って上方に導かれていた溶接用ワイヤが弛んで押さえ板内周面に沿って取り出される溶接用ワイヤに絡む場合がある。また、弛んだ溶接用ワイヤが押さえ板の落下を阻害し、溶接用ワイヤが押さえ板と積層体との間から飛び出してもつれて溶接用ワイヤを送給できなくなる場合がある。
【０００６】
一方、特許文献２に記載の技術では、前記溶接用ワイヤの終端近傍の溶接用ワイヤに絡むことはないが、図２に示すように連続使用時の次に使用するペイル容器に移行した時は、溶接用ワイヤの取り出し装置またはワイヤ案内部材（図示せず）の位置が先行するペイル容器１の上部に位置するので、溶接用ワイヤが斜め方向から取り出され、取り出し位置が内筒上端縁部８で接触して図３に示すように内筒上端縁部のＡ点がａ方向に移動する場合は問題なく取り出されるが、Ａ点で停止またはｂ方向に移動すると下層の溶接用ワイヤが内筒３の外周に巻きついて溶接用ワイヤを送給できなくなる場合がある。
【０００７】
【特許文献１】特公平３−３３４３４号公報
【特許文献２】実公平２−１８０３４号公報
【発明の開示】
【発明が解決しようとする課題】
【０００８】
本発明は、複数のペイル容器に収納された溶接用ワイヤを連続して使用する場合において、溶接用ワイヤが絡んだり、内筒に巻きつくことがなく円滑に取り出して溶接部へ送給することを可能とする溶接用ワイヤの装填物を提供することを目的とする。
【課題を解決するための手段】
【０００９】
本発明の要旨は、ペイル容器を構成する外筒と内筒との間に溶接用ワイヤをループ状に積層収納し、該ループの上端に押さえ板を載置した溶接用ワイヤの装填物において、内筒の高さを外筒高さより１５０ｍｍ以上低く、かつループ状に積層収納した溶接用ワイヤの積層高さ以上とし、溶接用ワイヤ終端部は外筒内面に沿ってペイル容器上部に取り付け、溶接用ワイヤの始端部を外筒の内側と押さえ板との間から上方に取り出して使用されることを特徴とする溶接用ワイヤの装填物にある。
【００１０】
また、内筒上端縁部は滑り部材で被覆されていることも特徴とする。
【発明の効果】
【００１１】
本発明の溶接用ワイヤの装填物によれば、複数のペイル容器に収納された溶接用ワイヤを連続して使用する場合において、溶接用ワイヤが絡んだり、内筒に巻きつくことがなく円滑に取り出して溶接部へ送給することができる。
【発明を実施するための最良の形態】
【００１２】
図１は、本発明の溶接用ワイヤの装填物における溶接用ワイヤの取り出し状態を示す断面図である。ペイル容器１を構成する外筒２とその内部に設けられた内筒３との間に、捩り入りの溶接用ワイヤがループ状に積層収納され積層体５を形成し、積層体５の上面に押さえ板４が載置されて溶接用ワイヤの跳ね上がりを防止している。溶接用ワイヤ終端部６はペイル容器底部９から外筒２の内面に沿って外筒２と押さえ板４との間からペイル容器１の上部に導かれて取り付けられている。溶接用ワイヤは、外筒２の内面と押さえ板４との間から図示しないワイヤ取り出し装置またはワイヤ案内部材からワイヤ送給装置に送られて取り出される。溶接用ワイヤ終端部６がペイル容器底部９から外筒２の内面に沿って押さえ板４との間をからペイル容器１の上部に導かれて取り付けられており押さえ板４の下を介して押さえ板４の内側から取り出してペイル容器１上部に取り付けられていないので、溶接用ワイヤの使用が進んで積層体５の高さが低くなっても溶接用ワイヤ終端部６とペイル容器底部９との間で溶接用ワイヤが弛むことがない。したがって、取り出される溶接用ワイヤと絡むことがない。また、押さえ板４の落下を阻害して溶接用ワイヤが押さえ板４と積層体５との間から飛び出すことがないので、もつれることがない。
【００１３】
なお、本発明に用いる押さえ板は、例えば特開平９−１５６８２７号公報に記載の環状の押さえ板に外筒内面に当接する弾性部材を有するものや、実公平１−２８９４９号公報に記載の狭幅の環状部材に端部が固定され自由端部が外筒内面に摺接する弾性部材からなる押さえ板などであることが、外筒と押さえ板との間から複数のループが同時に飛び出すことがないので好ましい。
【００１４】
複数のペイル容器を並べて溶接用ワイヤを連続して使用する場合は、先行するペイル容器の溶接用ワイヤ終端部と次に使用するペイル容器の溶接用ワイヤ始端部とをバット溶接により接続して使用されるが、図１に示すように次に使用するペイル容器１に移行した時は、溶接用ワイヤの取り出し装置またはワイヤ案内部材（図示せず）の位置が先行するペイル容器１の上部に位置するので、溶接用ワイヤが斜め方向から取り出される。本発明においては、内筒３の高さを外筒１の高さより１５０ｍｍ以上低く、すなわち外筒高さと内筒高さの差ｈを１５０ｍｍ以上としているので、取り出される溶接用ワイヤが内筒上端縁部８に接触することがない。したがって、溶接用ワイヤの取り出し位置が内筒上端縁部８で停止することがなく下層の溶接用ワイヤが内筒３の外周に巻きつくことがない。外筒高さと内筒高さの差ｈが１５０ｍｍ未満であると、図２に示すように内筒上端縁部８に接触して、図３に示すように溶接用ワイヤの取り出し位置が内筒上端縁部８のＡ点で停止またはｂ方向に移動して下層の溶接用ワイヤが内筒３の外周に巻きついて溶接用ワイヤを送給できなくなる場合がある。
【００１５】
また、内筒の高さは溶接用ワイヤの積層体高さ以上とする。内筒高さが溶接用ワイヤの積層体高さ未満であると、取り出される溶接用ワイヤ下層部のループが絞られて、絡みやもつれが生じる。
【００１６】
さらに、内筒はクラフト紙などの紙製のものが一般に使用され、内筒上端縁部の部摩擦抵抗が大きい。したがって、内筒上端縁部を樹脂や金属などの滑り部材で被覆することによって、溶接用ワイヤが定常的に斜め方向から取り出される場合においても、図３に示す内筒上端縁部のＡ点で溶接用ワイヤの取り出し位置が停止することがなくａ方向に移動するので下層の溶接用ワイヤが内筒３の外周に巻きつくことがない。
【実施例】
【００１７】
外筒内径５００ｍｍ、ペイル容器底部からの高さ８００ｍｍのペイル容器に、表１に示す外径３００ｍｍで高さを変えたクラフト紙製の内筒をペイル容器底部に固設し、ワイヤ径１．２ｍｍのソリッドワイヤ（ＪＩＳ  Ｚ３３１２  ＹＧＷ１１）を、ループ状に１周回当たり２８０〜３２０°捩りながら２００〜２５０ｋｇ積層した。なお、試験例の一部に内筒上端縁部に滑り部材を被覆した。これに実公平１−２８９４９号公報に記載の押さえ板を載置して試験に供した。
【００１８】
それぞれの試験例にいて、連続使用時の移行時を想定（スタート時）してペイル容器上面中心部から６５０ｍｍ、高さ方向に６５０ｍｍの位置にワイヤ案内部材を固定してワイヤ取り出し速度１５ｍで２０分間取り出し、次に、ワイヤ残量１００ｋｇの時点でペイル容器上面中心上部６５０ｍｍの位置にワイヤ案内部材を固定してワイヤ取り出し速度１５ｍで２０分間取り出し、さらにワイヤ残量５０ｋｇの時点でペイル容器上面中心部から６５０ｍｍ、高さ方向に６５０ｍｍの位置にワイヤ案内部材を固定してワイヤ取り出し速度１５ｍで２０分間取り出して、溶接用ワイヤの取り出し状態を調べた。その結果も表１に示す。
【００１９】
【表１】
2006007308.tif 000003
【００２０】
表１中、試験Ｎｏ．１〜４が本発明例、試験Ｎｏ．５および６が比較例である。本発明例である試験Ｎｏ．１〜４は、外筒高さと内筒高さの差、内筒高さに対する積層高さが良好であるので、スタート時の斜め取り出し、ワイヤ残量１００ｋｇでの垂直取り出しおよびワイヤ残量５０ｋｇでの斜め取り出しの何れにおいても取り出し中の溶接用ワイヤが内筒に巻きついたり下層のループが絞られてもつれが発生することがなく、極めて満足な結果であった。なお、ワイヤ残量５０ｋｇで斜めに取り出した場合、試験Ｎｏ．３および４は内筒上端縁部に滑り部材を被覆したので内筒に溶接用ワイヤが巻きつくことはなかった。しかし、試験Ｎｏ．１および２は、内筒上端縁部で溶接用ワイヤ取り出し位置が一度停止したがすぐに取り出し位置が移動したので内筒に溶接用ワイヤが巻きつくことはなかった。
【００２１】
比較例中試験Ｎｏ．５は、外筒高さと内筒高さの差が小さいので、スタート時の斜め取り出しおよびワイヤ残量５０ｋｇで斜め取出しをした場合に内筒に溶接用ワイヤが巻きついて取り出しが停止した。
【００２２】
試験Ｎｏ．６は、積層高さが内筒高さを超えているので、スタート時の斜め取り出しで取り出される下層のループが絞られてもつれが発生した。また、ワイヤ残量５０ｋｇで斜めに取り出した場合、内筒上端縁部で溶接用ワイヤ取り出し位置が二度停止したがすぐに取り出し位置が移動したので内筒に溶接用ワイヤが巻きつくことはなかった。
【図面の簡単な説明】
【００２３】
【図１】本発明の溶接用ワイヤの装填物における溶接用ワイヤの取り出し状態を示す断面図である。
【図２】従来の溶接用ワイヤの装填物における溶接用ワイヤの取り出し状態を示す断面図である。
【図３】図２のＢ−Ｂ′矢視断面図である。
【図４】従来の溶接用ワイヤの装填物を示す断面図である。
【符号の説明】
【００２４】
１    ペイル容器
２    外筒
３    内筒
４    押さえ板
５    積層体
６    溶接用ワイヤ終端部
７    溶接用ワイヤ始端部
８    内筒上端縁部
９    ペイル容器底部
ｈ    外筒高さと内筒高さの差
Ａ    溶接用ワイヤと内筒上端縁部の接触点
【図１】
2006007308.tif 000004
【図２】
2006007308.tif 000005
【図３】
2006007308.tif 000006
【図４】
2006007308.tif 000007